(57)【特許請求の範囲】
【請求項１】
水面を覆うための、遮光性が高く弾性を有するシートからなる防藻用カバーと、この防藻用カバーを前方端から巻き取るための防藻用カバー巻取機とからなる防藻用カバー装置であって、防藻用カバーのシート内部に、防藻用カバーの前後方向に連続する縦長の空気層が互いに一定の間隔で複数設けられ、防藻用カバーの後方端に空気層の吸排気口が設けられていることを特徴とする防藻用カバー装置。
【請求項２】
前記空気層の少なくとも２つずつが空気通路を介して連通され、この空気通路を介して連通する複数の空気層ごとに吸排気口が設けられていることを特徴とする請求項１に記載の防藻用カバー装置。
【請求項３】
前記防藻用カバーのシートに紐体が取り付けられていることを特徴とする請求項１又は請求項２に記載の防藻用カバー装置。
【請求項４】
前記防藻用カバーのシートにおける各空気層の間に水抜き孔が設けられていることを特徴とする請求項１ないし請求項３のいずれかに記載の防藻用カバー装置。
【請求項５】
前記防藻用カバーのシートの裏面側に、各水抜き孔の開口部を覆う遮光カバーが少なくとも１箇所以上の間隔を開けて接合されていることを特徴とする請求項４に記載の防藻用カバー装置。
【発明の詳細な説明】
【０００１】
【発明の属する技術分野】
本発明は、例えば浄水場の沈殿池等のような水処理槽に藻が発生するのを防ぐために、この水処理槽の水面を覆って光を遮蔽する防藻用カバー装置に関する。
【０００２】
【従来の技術】
浄水場では、河川等から導水渠を介して導き入れた水を、図６に示す急速撹拌池１１で撹拌し、フロック形成池１２でフロック形成のための薬品を投入した後に、沈殿池１３でこのフロックを沈殿させ、沈殿水渠１４から後工程に送るようになっている。沈殿池１３は、上流側から下流側に至る間を複数の整流壁１５によって仕切った池であり、この整流壁１５によって上流側から第１沈殿池１３ａ，第２沈殿池１３ｂ及び第３沈殿池１３ｃに区分される。この沈殿池１３の第１沈殿池１３ａに流入した水は、ゆっくりした流れで順次上澄みが整流壁１５を超えて第２沈殿池１３ｂから第３沈殿池１３ｃに流れ込み、沈殿水渠１４から流出する。そして、これらの沈殿池１３ａ〜１３ｃを流れる間に、徐々にフロックが池底に沈殿することにより水が浄化される。また、第１沈殿池１３ａの池底に沈澱したフロックは、常時クラリファイヤ１６によって上流側の池底の窪みに集められ、図示しない排水管を介して排出される。しかし、第２沈殿池１３ｂと第３沈殿池１３ｃは、この池底に沈澱したフロックを年に１回〜数回の清掃により人手で除去する必要がある。
【０００３】
上記沈殿池１３は、近年ＴＨＭ対策のために前塩素処理が中止されたことに伴い、春から秋にかけて水中に藻が発生するようになって来た。そして、このような藻が発生すると、後の濾過工程で目詰まりを起こし濾過効率が悪くなるために頻繁に清掃を行う必要が生じる。そこで、従来から、このような藻が発生し易い第２沈殿池１３ｂや第３沈殿池１３ｃ等の水面には、防藻用カバーを敷設していた。従来の防藻用カバーは、沈殿池１３ｂ，１３ｃの水面に流れに直交する方向に多数本の浮子を浮かべると共に、上流側から下流側にかけて複数本のスチロール棒を渡し、各スチロール棒の間にアルミニウム箔をラミネートした合成樹脂シートを保持させたものであり、これにより日光等の光が水中に照射されるのを遮蔽してこのような藻の発生を防止することができる。
【０００４】
【発明が解決しようとする課題】
ところが、上記従来の防藻用カバーでは、合成樹脂シートをその両側のスチロール棒と下に敷いた浮子によって水面に浮かせるので、これらスチロール棒と浮子とに囲まれた合成樹脂シートの矩形部分が下方に撓んで凹状となり、ここに沈殿池１３の水が浸水したり雨水が溜まって藻が発生するという問題があった。
【０００５】
また、１年に１回〜数回の沈殿池１３の清掃時には、この防藻用カバーを一旦沈殿池１３から除去して清掃後に再敷設する必要がある。しかし、防藻用カバーを除去するためには、長いスチロール棒を引き上げると共に、この引き上げに伴って合成樹脂シートを順次巻き取る必要があり、多数本の浮子も引き上げなければならず、再敷設の際にも同様の手間を要する。従って、沈殿池１３の清掃のたびに、防藻用カバーの除去と再敷設の作業に多大な手間が掛かり極めて面倒であるという問題もあった。
【０００６】
さらに、従来の防藻用カバーは、複数本のスチロール棒の間に合成樹脂シートを敷設し、この合成樹脂シートの両側辺をスチロール棒に止め付けるので、これらスチロール棒と合成樹脂シートの継ぎ目の部分や沈殿池の側壁との間で隙間が生じ遮光が十分ではなくなるために、藻の発生を確実に防止することができなくなるという問題もあった。
【０００７】
本発明は、上記事情に鑑み、水が溜まらず、隙間なく防藻用カバーを敷設でき、かつ、清掃時の除去や再敷設作業も容易となる防藻用カバー装置を提供することを目的としている。
【０００８】
【課題を解決するための手段】
上記課題を解決するために、請求項１に記載の発明は、水面を覆うための、遮光性が高く弾性を有するシートからなる防藻用カバーと、この防藻用カバーを前方端から巻き取るための防藻用カバー巻取機とからなる防藻用カバー装置であって、防藻用カバーのシート内部に、防藻用カバーの前後方向に連続する縦長の空気層が互いに一定の間隔で複数設けられ、防藻用カバーの後方端に空気層の吸排気口が設けられていることを特徴とする。
【０００９】
また、請求項２に記載の発明は、前記空気層の少なくとも２つずつが空気通路を介して連通され、この空気通路を介して連通する複数の空気層ごとに吸排気口が設けられていることを特徴とする。
【００１１】
また、請求項３に記載の発明は、前記防藻用カバーのシートに紐体が取り付けられていることを特徴とする。
【００１２】
また、請求項４に記載の発明は、前記防藻用カバーのシートにおける各空気層の間に水抜き孔が設けられていることを特徴とする。
【００１３】
また、請求項５に記載の発明は、前記防藻用カバーのシートの裏面側に、各水抜き孔の開口部を覆う遮光カバーが少なくとも１箇所以上の間隔を開けて接合されていることを特徴とする。
【００１４】
以下、作用について説明する。
【００１５】
請求項１の構成によれば、防藻用カバーのシート内部の各空気層がそれぞれ空気の圧力によって前後方向に長いエアーリブを形成する。このため、雨水は、各空気層間の谷状に窪んだ部分のシート上に沿って両端辺から速やかに水処理槽に排水される。また、この防藻用カバーを水処理槽の水面に浮かべると、複数の空気層の下部のみが水中に沈み、その浮力で各空気層間のシートを水面上のある程度の高さに配置させるので、水処理槽の水がシート上に浸水するようなこともほとんどなくなる。このため、防藻用カバー上に水が溜まらないので、ここに藻が発生することもなくなる。しかも、防藻用カバーの両側にスチロール棒等を浮かせる必要もないので、水処理槽に複数枚の防藻用カバーを敷設した場合にも、水面を覆ってほとんど隙間なく敷き詰め遮光性を損なうことがなくなる。さらに、清掃時等に、防藻用カバーの後方端に設けられた空気層の吸排気口を開栓し、防藻用カバー巻取機で防藻用カバーを前方端から巻き取れば、空気層の空気が抜けて防藻用カバーが薄いシート状となるので、容易に水処理槽からの引き上げ作業を行うことができ、再び水処理槽に敷き詰める作業も容易となる。
【００１６】
請求項２の構成によれば、空気通路を介して互いに連通する複数の空気層ごとに、空気の吸排気口を通じて空気を吸排気できるので、個々の空気層ごとに吸排気を行う場合に比べて吸排気作業を楽に行うことができる。
【００１８】
請求項３の構成によれば、清掃時等の巻き取りや敷設作業の際に、防藻用カバーに取り付けられた紐体を引き綱として利用することができる。また、例えばこの紐体を防藻用カバーの側部に取り付ければ水処理槽の壁面にこの防藻用カバーの側端部が擦れて摩耗するのを防止することができる。
【００１９】
請求項４の構成によれば、雨が降った場合や何らかの事情で防藻用カバー上に水処理槽の水が浸水した場合に、これらのシート上の水を各空気層の間に沿って排水するだけでなく、その途中の水抜き孔からも直接水処理槽に排水できるので、防藻用カバー上の水の排出をさらに迅速に行い藻の発生を確実に防止することができる。
【００２０】
請求項５の構成によれば、シートに水抜き孔が設けられた場合に、この水抜き孔を通して日光等が水処理槽内に照射されるのを遮光カバーによって遮蔽し、この水処理槽内で藻が発生するのを確実に防止することができる。しかも、この遮光カバーは、少なくとも１箇所以上の隙間を開けてシートの裏面に接合されるので、水抜き孔から水処理槽に排水される水を遮るおそれは生じない。
【００２１】
【発明の実施の形態】
以下、図面を参照しながら、本発明の実施形態を詳述する。
【００２２】
図１〜図５は本発明の一実施形態を示すものであって、図１は防藻用カバーの全体斜視図、図２は防藻用カバーの部分拡大断面斜視図、図３は沈殿池に設けた防藻用カバー装置の斜視図、図４は繋ぎ部に開口された水抜き孔を示す部分平面図、図５は繋ぎ部に開口された水抜き孔を覆う遮光カバーを示す部分縦断面図である。
【００２３】
本実施形態は、図６に示した浄水場の第２沈殿池１３ｂ又は第３沈殿池１３ｃの各区画に設けた防藻用カバー装置、即ち、図３に示すような、防藻用カバー１と、該防藻用カバー１を前方端から巻き取る防藻用カバー巻取機６とからなる防藻用カバー装置について説明する。１区画は、長さ２０ｍと幅１５ｍの矩形とし、図１に示す防藻用カバー１を１枚又は複数枚用いてこの区画を覆う場合について説明する。従って、この防藻用カバー１の大きさは、長さが２０ｍ程度で、幅が１５ｍ程度又はこの１５ｍの整数分の１程度の矩形となる。ただし、本発明の防藻用カバー装置における防藻用カバーは、これに限定されず、任意の形状や大きさとすることができ、図６に示す沈殿池１３に限らず、他にも用いることができる。
【００２４】
防藻用カバー１は、図２に示すように、２枚のほぼ矩形の熱可塑性樹脂シート２，２の一部を貼り合わせて融着したものである。熱可塑性樹脂シート２は、テトロン等のポリエステル繊維やビニロン繊維等の織布に軟質ＰＶＣ（ポリ塩化ビニル）やＥＶＡ（エチレン酢酸ビニル共重合体）等のシート材をラミネートした適度な弾性を有するものである。ただし、この熱可塑性樹脂シート２は、単一の熱可塑性樹脂のシート材や織布以外の複数のシート材をラミネートしたもので構成することもできる。また、この熱可塑性樹脂シート２は、高い遮光性を持たせるために、必要に応じて任意の着色を施す。なお、ここでいう遮光性は、少なくとも藻が光合成を行う波長の光を十分に遮蔽する特性をいう。
【００２５】
上記熱可塑性樹脂シート２，２は、図１に示す前後方向の両端辺部２ａ，２ａと左右方向の両端辺部２ｂ，２ｂとで貼り合わせ融着によって接合することにより矩形の周囲を密閉する。また、前後方向の両端辺部２ａ，２ａに達し、かつ、左右方向の両端辺部２ｂ，２ｂに沿ってこれらの間にほぼ等間隔に配置される複数本の帯状の繋ぎ部２ｃ…でも貼り合わせて融着により接合する。従って、これら熱可塑性樹脂シート２，２間における左右方向の両端辺部２ｂ，２ｂと各繋ぎ部２ｃ…との間には、それぞれ前後方向の両端辺部２ａ，２ａ付近に達する空隙が形成される。なお、これらの熱可塑性樹脂シート２，２は、適度な柔軟性と強度を保持するために、接合部の厚さを例えば１．２５ｍｍ程度の厚さとする。
【００２６】
上記熱可塑性樹脂シート２，２間の各空隙は、空気を充填して円筒形状に膨らませることにより、図１及び図２に示すようなエアーリブ（空気層）３…を構成させて使用する。ただし、各繋ぎ部２ｃ…は、融着の際に部分的に接合しない箇所を作ることにより、両側のエアーリブ３，３が端部同士で繋がる図示しない空気通路が設けられる。そして、ここでは、これらの空気通路により全てのエアーリブ３…が連通されるものとする。また、２箇所のエアーリブ３，３の後方端にはそれぞれ吸排気口４，４が設けられる。これら吸排気口４，４の開栓時には、エアーリブ３…への空気の注入と排気が可能となり、閉栓時には、エアーリブ３…内に空気を封入できる。ただし、吸排気口４は、いずれかのエアーリブ３、即ち熱可塑性樹脂シート２，２間の空隙に通じるように、少なくとも１箇所に設けられればよい。また、エアーリブ３…を２以上のブロックに分割し、各ブロック内でのみ空気通路がエアーリブ３…を連通させる場合には、各ブロックごとに少なくとも１箇所ずつの吸排気口４を設ける必要がある。
【００２７】
上記熱可塑性樹脂シート２，２を融着により接合した防藻用カバー１には、左右方向の両端辺部２ｂ，２ｂにＰＰ（ポリプロピレン）製のロープ（紐体）５，５が縫い付けられる。これらのロープ５，５は、防藻用カバー１の長さよりも十分に長いものであり、前方側には適当な長さだけ引き出され、後方側にこれよりも長く引き出されている。なお、これらのロープ５，５は、水に浮きある程度の耐候性と耐摩耗性を備えたものであれば、ナイロンやビニロン又はポリエステル等の任意の素材のものを用いることができる。
【００２８】
上記構成の防藻用カバー１は、吸排気口４，４から空気を注入することにより各空隙をある程度の圧力で膨らませて上記のようにエアーリブ３…を構成させる。そして、図３に示すように、沈殿池１３ｂ，１３ｃの適宜区画の水面に浮かべると、日光等を遮蔽して水中に藻が発生するのを防止することができる。この際、防藻用カバー１は、前後方向の両端から引き出したロープ５，５を整流壁１５等に止め付けることにより、水の流れや風等によって敷設位置がずれないようにすることができる。
【００２９】
しかも、各エアーリブ３が空気圧によって細長い円柱状の形状を保とうとするので、これら各エアーリブ３，３間の繋ぎ部２ｃは、左右方向に撓んで凹部が生じることはあっても、前後方向にはほぼ直線状を保つ。このため、防藻用カバー１に雨が降り注いだ場合には、雨水が一旦各エアーリブ３，３間の谷状に窪んだ繋ぎ部２ｃに集まり、この繋ぎ部２ｃに沿って順次前後方向の両端辺部２ａ，２ａ（特に水の流れに沿った下流側の後方端辺部２ａ）から沈殿池１３ｂ，１３ｃに排水されるので、防藻用カバー１上に留まるようなことがほとんどなくなり、後に残ったわずかな雨水も、雨が上がった後に速やかに蒸発する。また、防藻用カバー１は、図２に示したように、エアーリブ３の浮力が大きいので、各エアーリブ３の下部のみが水面Ａより下方に沈む。このため、各エアーリブ３を繋ぐ繋ぎ部２ｃや前後左右の両端辺部２ａ，２ｂは、この水面Ａからある程度の高さに位置するので、これら繋ぎ部２ｃ等の上に沈殿池１３ｂ，１３ｃの水が浸水するようなこともほとんどなくなる。従って、防藻用カバー１の上に水が溜まることがないので、ここに藻が発生するおそれもなくなる。なお、防藻用カバー１の前後左右の両端辺部２ａ，２ｂが先端ほど下方に向けて反るように熱可塑性樹脂シート２，２を接合しておけば、この防藻用カバー１の上の水をより円滑に排水できるようになる。
【００３０】
さらに、沈殿池１３ｂ，１３ｃの側壁には、防藻用カバー１の前後左右の両端辺部２ａ，２ｂが直接接し、複数の防藻用カバー１を並べた場合には、各防藻用カバー１の左右方向の両端辺部２ｂ同士も接するので、沈殿池１３ｂ，１３ｃの水面をほとんど隙間なく覆って敷き詰めることが可能となり、これらの隙間が遮光性を損なうこともなくなる。また、特に沈殿池１３ｂ，１３ｃの側壁に沿う防藻用カバー１の左右方向の端辺部２ｂは、コンクリートの壁面と擦れ合うおそれが生じるが、ここに耐摩耗性の高いロープ５が縫い付けられることにより、端辺部２ｂの熱可塑性樹脂シート２自体が摩耗するのを避けることができる。
【００３１】
さらに、エアーリブ３の後方端に設けられた吸排気口４を開栓し、図３に示すように、防藻用カバー巻取機６のモータ６ａを回転させて、防藻用カバー１を前方端からロープ５，５と共に順次巻き取れば、各エアーリブ３内の空気が抜けて薄いシート状となるので、容易に沈殿池１３ｂ，１３ｃからの引き上げ作業を行うことができる。なお、この際、吸排気口４を吸引ポンプに繋ぐことにより、各エアーリブ３内の空気を強制的に排出させることもできる。また、ロープ５，５は後方側に十分な長さが引き出されているので、このように防藻用カバー１を前方側に引き上げた後にも、ロープ５，５の後方端を後方側の整流壁１５等に止め付けておくことができる。従って、沈殿池１３ｂ，１３ｃの清掃等が終わると、この後方側の整流壁１５等に止め付けたロープ５，５を引っ張ることにより、防藻用カバー巻取機６から防藻用カバー１を引き出すことができるので、この防藻用カバー１を再び敷設作業も極めて容易となる。
【００３２】
なお、上記防藻用カバー１における各繋ぎ部２ｃには、図４及び図５に示すように、適所に水抜き孔２ｄを設けることができる。この水抜き孔２ｄは、繋ぎ部２ｃで接合された熱可塑性樹脂シート２，２を貫通する例えば長円形の小さい孔である。また、繋ぎ部２ｃの裏面側には、これらの水抜き孔２ｄの各開口部を覆うようにそれぞれ遮光カバー７を接合することができる。各遮光カバー７は、矩形の熱可塑性樹脂のシート小片であり、前後方向の両端辺７ａ，７ａのみを熱可塑性樹脂シート２に融着することにより、左右方向の両端辺に隙間を開けて接合される。水抜き孔２ｄが設けられると、防藻用カバー１上の水を繋ぎ部２ｃに沿って排水するだけでなく、各水抜き孔２ｄを通しても直接沈殿池１３ｂ，１３ｃに排水できるので、防藻用カバー１上の水をさらに迅速かつ確実に排出することができるようになる。ただし、このような水抜き孔２ｄが設けられると、これらの水抜き孔２ｄを通して日光等が沈殿池１３ｂ，１３ｃの水中に照射されわずかながらも藻が発生するおそれが生じる。しかし、各水抜き孔２ｄの裏面に遮光カバー７を接合すれば、これらの水抜き孔２ｄを通して入射する光を確実に遮蔽することができる。しかも、各遮光カバー７は、左右方向の両端辺に隙間が設けられるので、水抜き孔２ｄを介して排出される水を遮るおそれは生じない。
【００３３】
【発明の効果】
以上の説明から明らかなように、本発明の防藻用カバー装置によれば、雨水は防藻用カバーの各空気層間のシート上に沿って又は水抜き孔を通じて速やかに排水され、しかも、このシート上に水処理槽の水が浸水することもほとんどないので、防藻用カバー上に水が溜まり藻が発生するようなことがなくなる。また、水処理槽に複数枚の防藻用カバーの端を隙間なく敷設できるので、遮光性を損なうこともなくなる。さらに、この防藻用カバーを防藻用カバー巻取機によって清掃時等に巻き取る作業が容易になり、紐で防藻用カバーを引き出して再び敷き詰める作業も容易となる。
【図面の簡単な説明】
【図１】本発明の一実施形態を示すものであって、防藻用カバーの全体斜視図である。
【図２】本発明の一実施形態を示すものであって、防藻用カバーの部分拡大断面斜視図である。
【図３】  本発明の一実施形態を示すもので、沈殿池に設けた防藻用カバー装置の斜視図である。
【図４】本発明の一実施形態を示すものであって、繋ぎ部に開口された水抜き孔を示す部分平面図である。
【図５】本発明の一実施形態を示すものであって、繋ぎ部に開口された水抜き孔を覆う遮光カバー７を示す部分縦断面図である。
【図６】浄水場の沈殿池を示す縦断面正面図である。
【符号の説明】
１    防藻用カバー
２    熱可塑性樹脂シート
２ａ  前後方向の端辺部
２ｂ  左右方向の端辺部
２ｃ  繋ぎ部
３    エアーリブ（空気層）
４    吸排気口
５    ロープ
１３    沈殿池
【図１】
0004055085.tif 000002
【図２】
0004055085.tif 000003
【図３】
0004055085.tif 000004
【図４】
0004055085.tif 000005
【図５】
0004055085.tif 000006
【図６】
0004055085.tif 000007